(57)【要約】【課題】使用者の筋群のトレーニング効果を高める、高さ調整可能なトレーニングマシーンを提供する。【解決手段】高さ調整可能なトレーニングマシーンは、２つの支持座１と、握持部材２と、複数のキャップ３とを備える。支持座１は、互いに並列に並べられる。各支持座１は、横向き支杆１１、第１の係合筒１２及び第２の係合筒１３を有する。横向き支杆１１は、中空部を内部に有する。第１の係合筒１２は、横向き支杆１１上に配設される。第２の係合筒１３は、横向き支杆１１の側部に設けられ、第１の係合筒１２と第２の係合筒１３とのなす角度は夾角で表される。握持部材２は、握り部２１と、２つの枢着部２２とを有する。枢着部２２は、握り部２１の両端にそれぞれ垂直に設けられる。２つの枢着部２１は、各支持座１の第１の係合筒１２、第２の係合筒１３及びこれらの組み合わせからなる群から選択されて挿着される。【選択図】図１
0003207296.tif 000002
【実用新案登録請求の範囲】
【請求項１】
２つの支持座と、握持部材と、複数のキャップとを備えた、高さ調整可能なトレーニングマシーンであって、
前記支持座は、互いに並列に並べられ、各前記支持座は、横向き支杆、第１の係合筒及び第２の係合筒を有し、前記横向き支杆は、中空部を内部に有するとともに、開口端が両端にそれぞれ設けられ、前記第１の係合筒は、前記横向き支杆上に配設され、前記第２の係合筒は、前記横向き支杆の側部に設けられ、前記第１の係合筒と前記第２の係合筒とのなす角度は夾角で表され、
前記握持部材は、握り部と、２つの枢着部と、を有し、前記枢着部は、前記握り部の両端にそれぞれ垂直に設けられ、前記２つの枢着部は、各前記支持座の前記第１の係合筒、前記第２の係合筒及びこれらの組み合わせからなる群から選択されて挿着され、
前記キャップは、各前記支持座の２つの開口端に強固に嵌合されることを特徴とする高さ調整可能なトレーニングマシーン。
【請求項２】
前記第１の係合筒及び前記第２の係合筒は、それぞれ異なる長さで延ばされることを特徴とする請求項１に記載の高さ調整可能なトレーニングマシーン。
【請求項３】
前記第１の係合筒及び前記第２の係合筒には、前記握持部材の各前記枢着部が挿着される挿設孔がそれぞれ形成されることを特徴とする請求項２に記載の高さ調整可能なトレーニングマシーン。
【請求項４】
各前記支持座の前記第１の係合筒及び前記第２の係合筒の前記挿設孔の環状壁の２つの縁部には、第１の嵌合部材が設けられ、
前記握持部材の各前記枢着部の２つの縁部には、前記第１の嵌合部材に対応して嵌合される第２の嵌合部材が設けられることを特徴とする請求項３に記載の高さ調整可能なトレーニングマシーン。
【請求項５】
各前記第１の嵌合部材には、位置規制溝が凹設され、
各前記第２の嵌合部材には、位置規制リブが突設されることを特徴とする請求項４に記載の高さ調整可能なトレーニングマシーン。
【請求項６】
各前記位置規制リブの両側縁部には、弧状を呈する複数の定位点が設けられ、
前記握持部材の各前記枢着部は、前記定位点を介して各前記支持座の各前記第１の係合筒及び各前記第２の係合筒に嵌合され、強固に固定されることを特徴とする請求項５に記載の高さ調整可能なトレーニングマシーン。
【請求項７】
前記支持座の前記第１の係合筒の前記挿設孔は、前記横向き支杆の前記中空部と連通し、
各前記支持座の前記第２の係合筒の前記挿設孔は、前記横向き支杆の前記中空部と連通していないことを特徴とする請求項３に記載の高さ調整可能なトレーニングマシーン。
【請求項８】
前記第２の係合筒の前記挿設孔の深さは、前記第１の係合筒の前記挿設孔の深さと、前記横向き支杆の前記中空部の直径との総和に等しいことを特徴とする請求項７に記載の高さ調整可能なトレーニングマシーン。
【請求項９】
前記握持部材の前記握り部は、傾斜又は平行な状態で前記２つの枢着部の上端に設けられることを特徴とする請求項１に記載の高さ調整可能なトレーニングマシーン。
【請求項１０】
前記握り部の中央表面部には、滑り止め軟質カバーが敷設されることを特徴とする請求項９に記載の高さ調整可能なトレーニングマシーン。
【考案の詳細な説明】
【技術分野】
【０００１】
本考案は、高度調整可能なトレーニングマシーンに関するものであって、さらに、詳しくは、使用者が腕立て伏せをするときに高さを調整して多種類のトレーニングを行うことができるトレーニング補助ツールであり、使用者の筋群が高いトレーニング効果を得る、高さ調整可能なトレーニングマシーンに関するものである。
【背景技術】
【０００２】
現代社会は非常に忙しいため、多くの人は運動を行ってストレスを軽減したり、自信を得るために身体を鍛えている者が多い。運動のなかでも腕立て伏せは、良く行われる運動の一つであり、費用があまりかからない上、短期間に身体を鍛えることができる。一般に腕立て伏せの仕方は、両手を地面について両足を伸ばして地面を向き、両手の肘関節を曲げて身体を徐々に下げて地面に近づけてから両手で身体を押し上げるが、身体の動作の変化に加えて筋肉の一部に力を加える反復動作を行うことにより高い運動効果を得て身体を鍛えることができる。
【０００３】
しかし、上述したような従来の方式は地面が汚れている場合、手が汚れやすい上、上半身が地面に近づきすぎると衣類を汚してしまうことがある。また、地面につく手首の関節を９０度に曲げなければならないため、手首が怪我をする虞があった。そのため、これら従来技術の問題点を改善する腕立て伏せを補助するツールが開発された。
【０００４】
従来技術のプッシュアップバーは、トレーニングを行う者が手でバーを握って腕立て伏せを行うため手が汚れることを防ぎ、身体を地面から離すことができるため、衣類が汚れることを防ぐことができる上、身体の動作を大きくして高いトレーニング効果を得ることができる。従来のプッシュアップバーは、図１２に示すように、２つの横向き支杆４と、下向きコ字状ホルダ５と、４つのキャップ６とを含む。横向き支杆４は、互いに配列されるとともに、中空状を呈して２つの開口端４１を有する。下向きコ字状ホルダ５は、両端を有するとともに、直立し、両端が２つの横向き支杆４にそれぞれ固定される。キャップ６は、各横向き支杆４の２つの開口端４１にそれぞれ強固に嵌合される。
【０００５】
しかし、上述したような従来技術のプッシュアップバーは、固定式であるため、その他の機能を有する使用状態を提供することができず、単調で興味を持つことができず、実用的でなくて面白みに欠けるため、消費者の購買意欲が低くて経済性が低く、改良が求められていた。
【考案の概要】
【考案が解決しようとする課題】
【０００６】
従って、本考案の主な課題は、使用者が腕立て伏せをするときに高さを調整して多種類のトレーニングを行うことができるトレーニング補助ツールであり、使用者の筋群のトレーニング効果を高める、高さ調整可能なトレーニングマシーンを提供することにある。
【課題を解決するための手段】
【０００７】
そこで、本考案者は、前記の本考案の課題を解決するため鋭意検討を重ねた結果、次のトレーニングマシーンを提供することにより、前記課題を解決できる点に着目し、かかる知見に基いて本考案に想到するに至った。
すなわち、上記課題を解決するために、本考案の第１の形態によれば、２つの支持座と、握持部材と、複数のキャップとを備えた、高さ調整可能なトレーニングマシーンであって、前記支持座は、互いに並列に並べられ、各前記支持座は、横向き支杆、第１の係合筒及び第２の係合筒を有し、前記横向き支杆は、中空部を内部に有するとともに、開口端が両端にそれぞれ設けられ、前記第１の係合筒は、前記横向き支杆上に配設され、前記第２の係合筒は、前記横向き支杆の側部に設けられ、前記第１の係合筒と前記第２の係合筒とのなす角度は夾角で表され、前記握持部材は、握り部と、２つの枢着部と、を有し、前記枢着部は、前記握り部の両端にそれぞれ垂直に設けられ、前記２つの枢着部は、各前記支持座の前記第１の係合筒、前記第２の係合筒及びこれらの組み合わせからなる群から選択されて挿着され、前記キャップは、各前記支持座の２つの開口端に強固に嵌合されることを特徴とする高さ調整可能なトレーニングマシーンが提供される。
【０００８】
かくして、本考案の要旨は、次の通りである。
（１）２つの支持座と、握持部材と、複数のキャップとを備えた、高さ調整可能なトレーニングマシーンであって、
前記支持座は、互いに並列に並べられ、各前記支持座は、横向き支杆、第１の係合筒及び第２の係合筒を有し、前記横向き支杆は、中空部を内部に有するとともに、開口端が両端にそれぞれ設けられ、前記第１の係合筒は、前記横向き支杆上に配設され、前記第２の係合筒は、前記横向き支杆の側部に設けられ、前記第１の係合筒と前記第２の係合筒とのなす角度は夾角で表され、
前記握持部材は、握り部と、２つの枢着部と、を有し、前記枢着部は、前記握り部の両端にそれぞれ垂直に設けられ、前記２つの枢着部は、各前記支持座の前記第１の係合筒、前記第２の係合筒及びこれらの組み合わせからなる群から選択されて挿着され、
前記キャップは、各前記支持座の２つの開口端に強固に嵌合されることを特徴とする高さ調整可能なトレーニングマシーン。
（２）前記第１の係合筒及び前記第２の係合筒は、それぞれ異なる長さで延ばされることを特徴とする前記（１）に記載の高さ調整可能なトレーニングマシーン。
（３）前記第１の係合筒及び前記第２の係合筒には、前記握持部材の各前記枢着部が挿着される挿設孔がそれぞれ形成されることを特徴とする前記（２）に記載の高さ調整可能なトレーニングマシーン。
（４）各前記支持座の前記第１の係合筒及び前記第２の係合筒の前記挿設孔の環状壁の２つの縁部には、第１の嵌合部材が設けられ、
前記握持部材の各前記枢着部の２つの縁部には、前記第１の嵌合部材に対応して嵌合される第２の嵌合部材が設けられることを特徴とする前記（３）に記載の高さ調整可能なトレーニングマシーン。
（５）各前記第１の嵌合部材には、位置規制溝が凹設され、
各前記第２の嵌合部材には、位置規制リブが突設されることを特徴とする前記（４）に記載の高さ調整可能なトレーニングマシーン。
（６）各前記位置規制リブの両側縁部には、弧状を呈する複数の定位点が設けられ、
前記握持部材の各前記枢着部は、前記定位点を介して各前記支持座の各前記第１の係合筒及び各前記第２の係合筒に嵌合され、強固に固定されることを特徴とする前記（５）に記載の高さ調整可能なトレーニングマシーン。
（７）前記支持座の前記第１の係合筒の前記挿設孔は、前記横向き支杆の前記中空部と連通し、
各前記支持座の前記第２の係合筒の前記挿設孔は、前記横向き支杆の前記中空部と連通していないことを特徴とする前記（３）に記載の高さ調整可能なトレーニングマシーン。
（８）前記第２の係合筒の前記挿設孔の深さは、前記第１の係合筒の前記挿設孔の深さと、前記横向き支杆の前記中空部の直径との総和に等しいことを特徴とする前記（７）に記載の高さ調整可能なトレーニングマシーン。
（９）前記握持部材の前記握り部は、傾斜又は平行な状態で前記２つの枢着部の上端に設けられることを特徴とする前記（１）に記載の高さ調整可能なトレーニングマシーン。
（１０）前記握り部の中央表面部には、滑り止め軟質カバーが敷設されることを特徴とする前記（９）に記載の高さ調整可能なトレーニングマシーン。
【考案の効果】
【０００９】
本考案の高さ調整可能なトレーニングマシーンは、上腕、胸筋及び背筋を鍛えることができ、各種年齢層の男女の使用に適合し、使用者が腕立て伏せを行うときに高さを調整し、多種類の訓練方式を行う補助訓練ツールであり、使用者の筋群を鍛えることができる。
【図面の簡単な説明】
【００１０】
【図１】図１は、本考案の一実施形態に係る高さ調整可能なトレーニングマシーンを示す斜視図である。
【図２】図２は、本考案の一実施形態に係る高さ調整可能なトレーニングマシーンを示す分解斜視図である。
【図３】図３は、図２の部分拡大図である。
【図４】図４は、本考案の一実施形態に係る高さ調整可能なトレーニングマシーンの支持座を示す断面図である。
【図５】図５は、本考案の一実施形態に係る高さ調整可能なトレーニングマシーンを示す断面図である。
【図６】図６は、本考案の実施形態（１）に係る高さ調整可能なトレーニングマシーンを示す側面図である。
【図７】図７は、本考案の実施形態（２）に係る高さ調整可能なトレーニングマシーンを示す側面図（１）である。
【図８】図８は、本考案の実施形態（３）に係る高さ調整可能なトレーニングマシーンを示す側面図（２）である。
【図９】図９は、本考案の実施形態（４）に係る高さ調整可能なトレーニングマシーンを示す側面図（３）である。
【図１０】図１０は、本考案の一実施形態に係る高さ調整可能なトレーニングマシーンの使用状態の説明図である。
【図１１】図１１は、本考案の他の実施形態に係る高さ調整可能なトレーニングマシーンの使用状態の説明図である。
【図１２】図１２は、従来技術のプッシュアップバーを示す斜視図である。
【考案を実施するための形態】
【００１１】
まず、図１〜図５を参照する。図１〜図５に示すように、本考案の一実施形態に係る高さ調整可能なトレーニングマシーンは、２つの支持座１と、握持部材２と、複数のキャップ３とを含む。
【００１２】
支持座１は、プラスチック材料からなり、互いに並列に並べられる。各支持座１は、横向き支杆１１、第１の係合筒１２及び第２の係合筒１３を有する。横向き支杆１１は、中空部１１０を内部に有するとともに、開口端１１１が両端にそれぞれ設けられる。第１の係合筒１２は、横向き支杆１１上に配設される。第２の係合筒１３は、横向き支杆１１の側部に設けられる。第１の係合筒１２と第２の係合筒１３とのなす角度は夾角θで表される。横向き支杆１１、第１の係合筒１２及び第２の係合筒１３は一体成形される。
【００１３】
握持部材２は、プラスチック材料からなるとともに、握り部２１と、２つの枢着部２２と、を有する。枢着部２２は、握り部２１の両端にそれぞれ垂直に設けられる。２つの枢着部２２は、各支持座１の第１の係合筒１２、第２の係合筒１３及びこれらの組み合わせからなる群から選択されて挿着される。
【００１４】
キャップ３は、ゴム材料、プラスチック材料、及びこれらの組み合わせからなる群から選択される材料からなる。各キャップ３は、各支持座１の２つの開口端１１１に強固に嵌合され、各支持座１の２つの開口端１１１が閉鎖状を呈する。
【００１５】
上述した構造について、以下（１）及び（２）で詳説する。
【００１６】
（１）上述した各支持座１の第１の係合筒１２及び第２の係合筒１３の長さは不均等である。
【００１７】
各支持座１の第１の係合筒１２及び第２の係合筒１３には、挿設孔１２１，１３１がそれぞれ形成される。各挿設孔１２１，１３１には、握持部材２の各枢着部２２が挿着される。各支持座１の第１の係合筒１２及び第２の係合筒１３の各挿設孔１２１，１３１の環状壁の２つの縁部には、第１の嵌合部材１２２，１３２が設けられる。握持部材２の各枢着部２２の２つの縁部には、第２の嵌合部材２２１が設けられる。各第２の嵌合部材２２１は、各第１の嵌合部材１２２，１３２に対応して嵌合される。各第１の嵌合部材１２２，１３２には、位置規制溝１２２１，１３２１が凹設される。各第２の嵌合部材２２１には、位置規制リブ２２１１が突設され、各位置規制リブ２２１１の両側縁部には、弧状を呈する複数の位置規制リブ２２１１が形成されるとともに、弧状を呈する複数の定位点２２１２が設けられる。握持部材２の各枢着部２２は、定位点２２１２を介して各支持座１の各第１の係合筒１２及び各第２の係合筒１３に嵌合され、強固に固定される（図３を参照する）。
【００１８】
また、支持座１の第１の係合筒１２の挿設孔１２１は、横向き支杆１１の中空部１１０と連通する。各支持座１の第２の係合筒１３の挿設孔１３１は、横向き支杆１１の中空部１１０と連通していない。第２の係合筒１３の挿設孔１３１の深さＤ２は、第１の係合筒１２の挿設孔１２１の深さＤ１と、横向き支杆１１の中空部１１０の直径Ｄ３との総和に等しい（図４を参照する）。
【００１９】
（２）上述した握持部材２の握り部２１は、傾斜又は平行な状態で２つの枢着部２２の上端に設けられる。本実施形態の握持部材２の握り部２１が傾いた状態である場合、２つの枢着部２２は一方が長くて他方が短い状態（即ち長短状態）である。特に、握持部材２の握り部２１が水平状態を呈して２つの枢着部２２の上端に位置する場合、２つの枢着部２２の長さは均等である。握り部２１は、２つの枢着部２２と一体成形されるとともに、中央表面部に滑り止め軟質カバー２１１が敷設される。滑り止め軟質カバー２１１は、スポンジ類又はゴム類からなる。
【００２０】
図６〜図１１を参照する。図２、図４及び図６〜図１１に示すように、本考案の一実施形態に係る高さ調整可能なトレーニングマシーンは、２つの支持座１と、握持部材２と、複数のキャップ３と、を備える。
【００２１】
支持座１は、互いに並列に並べられる。各支持座１は、横向き支杆１１、第１の係合筒１２及び第２の係合筒１３を有する。横向き支杆１１は、中空部１１０を内部に有するとともに、開口端１１１が両端にそれぞれ設けられる。第１の係合筒１２は、横向き支杆１１上に配設される。第２の係合筒１３は、横向き支杆１１の側部に設けられる。第１の係合筒１２と第２の係合筒１３とのなす角度は夾角θで表される。握持部材２は、握り部２１と、２つの枢着部２２と、を有する。枢着部２２は、握り部２１の両端にそれぞれ垂直に設けられる。２つの枢着部２２は、各支持座１の第１の係合筒１２、第２の係合筒１３及びこれらの組み合わせからなる群から選択されて挿着される。各キャップ３は、各支持座１の２つの開口端１１１に強固に嵌合される。
【００２２】
使用者が本考案の高さ調整可能なトレーニングマシーンを用いて腕立て伏せを行う際、各支持座１の第１の係合筒１２及び第２の係合筒１３の長さを非均等にする。各支持座１の第１の係合筒１２の挿設孔１２１は、横向き支杆１１の中空部１１０と連通する。各支持座１の第２の係合筒１３の挿設孔１３１は、横向き支杆１１の中空部１１０と連通していない。第２の係合筒１３の挿設孔１３１の深さＤ２は、第１の係合筒１２の挿設孔１２１の深さＤ１と横向き支杆１１の中空部１１０の直径Ｄ３との総和に等しい。また、握持部材２の握り部２１は、傾斜した状態で２つの枢着部２２上端に設けられ、２つの枢着部２２は長短状態である。
【００２３】
そのため、握持部材２の各枢着部２２を、各支持座１の各第１の係合筒１２の挿設孔１２１及び各第２の係合筒１３の挿設孔１３１及びこれらの組み合わせからなる群から選択して挿着する実施形態（１）〜（４）について以下説明する。
【００２４】
実施形態（１）：図６を参照する。図６に示すように、握持部材２を各支持座１に挿着する際、各支持座１の第１の係合筒１２の挿設孔１２１に、握持部材２の各枢着部２２をそれぞれ挿着する。握持部材２の各枢着部２２の底端は、各支持座１の横向き支杆１１の中空部１１０の壁面に当接される。
【００２５】
実施形態（２）：図７を参照する。図７に示すように、握持部材２を各支持座１に挿着する際、各支持座１の第２の係合筒１３の挿設孔１３１に、握持部材２の各枢着部２２をそれぞれ挿着する。握持部材２が支持座１に挿着されると、握持部材２の全体高さは、形態（１）の握持部材２が各支持座１の全体高さより高い。
【００２６】
実施形態（３）：図８を参照する。図８に示すように、握持部材２を各支持座１に挿着する際、一方の支持座１の第１の係合筒１２の挿設孔１２１に、握持部材２の長めの枢着部２２を挿着し、握持部材２の長めの枢着部２２の底端が各支持座１の横向き支杆１１の中空部１１０壁面に当接され、他方の支持座１の第２の係合筒１３の挿設孔１３１に、握持部材２の短めの枢着部２２を挿着し、握持部材２が各支持座１に挿着されると、握持部材２の握り部２１が略水平状態となる。
【００２７】
実施形態（４）：図９を参照する。図９に示すように、握持部材２を各支持座１に挿着する際、一方の支持座１の第２の係合筒１３の挿設孔１３１に、握持部材２の長めの枢着部２２を挿着し、他方の支持座１の第１の係合筒１２の挿設孔１２１に、握持部材２の短めの枢着部２２を挿着し、握持部材２の短めの枢着部２２の底端が各支持座１の横向き支杆１１の中空部１１０の壁面に当接され、握持部材２が各支持座１に挿着されると、握持部材２の握り部２１の傾斜角度が大きくなる。
【００２８】
使用者が腕立て伏せを行う前に、握持部材２の各枢着部２２を、各支持座１の第１の係合筒１２の挿設孔１２１及び第２の係合筒１３の挿設孔１３１及びこれらの組み合わせからなる群から選択して挿着すると、様々な方式で上腕を訓練することができる上、適宜な高さに調整し、使用者の姿勢に合うようにトレーニングマシーンを調整し、使用者は両手で握持部材２の握り部２１の滑り止め軟質カバー２１１を握持し、２つの支持座１の各横向き支杆１１と各キャップ３とを地面に接触させると、身体を起こして上腕と重要な筋群とを鍛え、肘関節を曲げて体を下ろして腕立て伏せのトレーニングを行うと、上腕、胸筋及び背筋を鍛えることができる。そのため、本考案の高さ調整可能なトレーニングマシーンは、各種年齢層の男女の使用に適合し、使用者が腕立て伏せを行うときに高さを調整し、多種類の訓練方式を行う補助訓練ツールとして用い、使用者の筋群を鍛えることができる。
【符号の説明】
【００２９】
１  支持座
２  握持部材
３  キャップ
４  横向き支杆
５  下向きコ字状ホルダ
６  キャップ
１１  横向き支杆
１２  第１の係合筒
１３  第２の係合筒
２１  握り部
２２  枢着部
４１  開口端
１１０  中空部
１１１  開口端
１２１  挿設孔
１２２  第１の嵌合部材
１３１  挿設孔
１３２  第１の嵌合部材
２１１  滑り止め軟質カバー
２２１  第２の嵌合部材
１２２１  位置規制溝
１３２１  位置規制溝
２２１１  位置規制リブ
２２１２  定位点
θ  夾角
Ｄ１  深さ
Ｄ２  深さ
Ｄ３  直径
【図１】
0003207296.tif 000003
【図２】
0003207296.tif 000004
【図３】
0003207296.tif 000005
【図４】
0003207296.tif 000006
【図５】
0003207296.tif 000007
【図６】
0003207296.tif 000008
【図７】
0003207296.tif 000009
【図８】
0003207296.tif 000010
【図９】
0003207296.tif 000011
【図１０】
0003207296.tif 000012
【図１１】
0003207296.tif 000013
【図１２】
0003207296.tif 000014